(57)【要約】【課題】撮像装置と被写体とが相互に近接した状態で撮像を行う場合（いわゆる接写などを行う場合）にも、画像に意図しない明るさ分布が生じてしまうことを抑制できるようにする。【解決手段】撮像装置は、レンズ１０を介して被写体を撮像する撮像部２０と、被写体に光を照射する発光部３０と、撮像部２０および発光部３０を制御する制御部４０と、を備える。レンズ１０の視野方向から見て、発光部３０はレンズ１０を囲むように配置されている。【選択図】図１
2014119580.tif 000002
【特許請求の範囲】
【請求項１】
レンズを介して被写体を撮像する撮像部と、
前記被写体に光を照射する発光部と、
前記撮像部および前記発光部を制御する制御部と、
を備え、
前記レンズの視野方向から見て、前記発光部が前記レンズを囲むように配置されている撮像装置。
【請求項２】
前記発光部は有機ＥＬ素子からなる請求項１に記載の撮像装置。
【請求項３】
前記発光部は前記レンズの全周を囲んでいる請求項１又は２に記載の撮像装置。
【請求項４】
前記発光部は前記レンズと同心のドーナツ状の領域に配置されている請求項３に記載の撮像装置。
【請求項５】
前記発光部は有機ＥＬ素子からなり、
前記有機ＥＬ素子はシート状に形成されているとともに、可撓性を持つ請求項１〜４の何れか一項に記載の撮像装置。
【請求項６】
前記有機ＥＬ素子は、前記レンズから遠ざかるにつれて拡径する錐台形状又は錐形状に折り曲げ可能である請求項５に記載の撮像装置。
【請求項７】
当該撮像装置は、筐体を有し、
前記有機ＥＬ素子は、前記筐体の一方の面に沿う平坦な形状と、前記レンズから遠ざかるにつれて拡径する錐台形状又は錐形状と、に変形可能である請求項６に記載の撮像装置。
【請求項８】
当該撮像装置は、筐体を有し、
前記筐体の外表面は、曲面を含み、
前記有機ＥＬ素子は、前記筐体の前記曲面に沿って屈曲して配置されている請求項５に記載の撮像装置。
【請求項９】
ユーザの操作を受け付ける操作部を更に備え、
前記制御部は、前記操作部に対する操作に応じて、前記発光部の発光色を制御する請求項１〜８の何れか一項に記載の撮像装置。
【請求項１０】
ユーザの操作を受け付ける操作部を更に備え、
前記制御部は、前記操作部に対する操作に応じて、前記発光部における発光領域を切り替える制御を行う請求項１〜８の何れか一項に記載の撮像装置。
【発明の詳細な説明】
【技術分野】
【０００１】
本発明は、撮像装置に関する。
【背景技術】
【０００２】
一般的に、撮像装置（撮像機能付きの電子機器を含む）には、撮像時に被写体を照明する機能を有するものが多い。
【０００３】
特許文献１には、カメラ付き電子機器の表示画面が、被写体に対する照明機能を有することが記載されている。このカメラ付き電子機器のカメラのレンズは、表示画面の脇に配置されている。また、同文献には、表示画面が有機ＥＬ（Ｅｌｅｃｔｒｏ  Ｌｕｍｉｎｅｓｃｅｎｃｅ）パネルからなる点が記載されている。
【０００４】
特許文献２には、撮像装置等に搭載される照明装置として、有機ＥＬ素子を用いる点が記載されている。その照明装置は、撮像装置のレンズの脇に配置されている。また、同文献には、有機ＥＬ素子が、前方に向けて凸又は凹の断面弧状の曲面形状に形成されている点が記載されている。更に、同文献には、可撓性を有する有機ＥＬ素子の形状を、上記曲面形状となるように変化させる機構を、照明装置が有する点について記載されている。
【０００５】
また、特許文献３には、カメラ付き携帯情報端末について記載されている。このカメラ付き携帯情報端末は、被写体を照明する補助ライトをレンズの脇に備える。
【先行技術文献】
【特許文献】
【０００６】
【特許文献１】特開２００４−３５０２０８号公報
【特許文献２】特開２００７−１６３８７６号公報
【特許文献３】特開２００６−１４６０５０号公報
【発明の概要】
【発明が解決しようとする課題】
【０００７】
本発明者は、一般的な撮像装置には、以下に説明する課題があると考えた。
例えば特許文献３等に記載されているように、撮像機能付きの携帯情報端末（携帯電話機等）においては、被写体の周囲が暗い場合などに被写体を照明するための補助ライトがレンズの脇に備えられている。この補助ライトを用いて撮像を行った場合、補助ライトの近傍が明るく、補助ライトから離れるほど暗くなるため、撮像により得られた画像に明るさ分布が発生してしまう。特に、撮像装置と被写体とが相互に近接した状態で撮像を行う場合（いわゆる接写などを行う場合）には、画像に顕著な明るさ分布が発生してしまう。
また、撮像機能に特化した通常の撮像装置においても、同様の課題がある。
【０００８】
本発明が解決しようとする課題としては、撮像装置と被写体とが相互に近接した状態で撮像を行う場合にも、画像に意図しない明るさ分布が生じてしまうことを抑制できるようにすることが一例として挙げられる。
【課題を解決するための手段】
【０００９】
請求項１に記載の発明は、レンズを介して被写体を撮像する撮像部と、
前記被写体に光を照射する発光部と、
前記撮像部および前記発光部を制御する制御部と、
を備え、
前記レンズの視野方向から見て、前記発光部が前記レンズを囲むように配置されている撮像装置である。
【図面の簡単な説明】
【００１０】
【図１】実施形態に係る撮像装置の正面図である。
【図２】実施形態に係る撮像装置のブロック図である。
【図３】実施例１に係る撮像装置の正面図である。
【図４】発光部が有機ＥＬ素子である場合の発光部の構造の一例を示す断面図である。
【図５】有機機能層の層構造の第１例を示す断面図である。
【図６】有機機能層の層構造の第２例を示す断面図である。
【図７】図７（ａ）は実施例２に係る撮像装置の側断面図、図７（ｂ）は発光部を折り曲げる前の状態を示す正面図、図７（ｃ）は発光部を折り曲げた状態の斜視図である。
【図８】実施例３に係る撮像装置の側断面図である。
【図９】図９（ａ）は実施例４に係る撮像装置の発光部を平坦にした状態の平面図、図９（ｂ）は図９（ａ）のＡ−Ａ線に沿った断面図である。
【図１０】図１０（ａ）は実施例４に係る撮像装置の発光部を錐台形状にした状態の平面図、図１０（ｂ）は図１０（ａ）のＡ−Ａ線に沿った断面図である。
【図１１】図１１（ａ）は実施例５に係る撮像装置の正面図、図１１（ｂ）は実施例５に係る撮像装置の側断面図である。図１１（ｃ）は実施例６に係る撮像装置の側断面図である。
【図１２】実施例８に係る撮像装置の正面図である。
【図１３】実施例８に係る撮像装置のブロック図である。
【発明を実施するための形態】
【００１１】
以下、実施の形態について、図面を用いて説明する。尚、すべての図面において、同様の構成要素には同一の符号を付し、適宜説明を省略する。
【００１２】
図１は実施形態に係る撮像装置の正面図、図２は実施形態に係る撮像装置のブロック図である。本実施形態に係る撮像装置は、レンズ（対物レンズ）１０を介して被写体を撮像する撮像部２０と、被写体に光を照射する発光部３０と、撮像部２０および発光部３０を制御する制御部４０と、を備える。レンズ１０の視野方向から見て、発光部３０がレンズ１０を囲むように配置されている。レンズ１０の視野方向とは、レンズ１０の前方である。
【００１３】
撮像装置は、携帯電話機或いはその他の携帯情報端末装置のような撮像機能付きの電子機器であっても良いし、通常のカメラやデジタルカメラなどのように撮像機能に特化したものであっても良い。なお、撮像装置は、例えば、レンズ１０および発光部３０が配置されている面とは反対側の面にディスプレイ（表示部）を有していることが挙げられる。
【００１４】
撮像装置は、筐体５０を有している。この筐体５０は、例えば、扁平な直方体形状などに形成されている。筐体５０の一方の面には、撮像用のレンズ１０が配置されているとともに、このレンズ１０の周囲を囲むようにして発光部３０が配置されている。ここで、筐体５０の一方の面は、レンズ１０の視野方向を向いている。すなわち、発光部３０は、筐体５０において、レンズ１０の視野方向を向く面に配置されている。なお、発光部３０の形状は、例えば図１に示すように筐体５０の一方の面の周縁部を除く全域を覆うような矩形状であることが挙げられるが、その他の任意の形状であっても良い。
【００１５】
レンズ１０は、例えば、撮像装置と被写体とが（レンズ１０と被写体とが）相互に近接した状態で撮像を行う際（いわゆる接写等を行う際）に、被写体に対して焦点が合う構造となっている。
【００１６】
発光部３０はレンズ１０の全周を囲んでいることが好ましい。ただし、発光部３０は、レンズ１０の周囲における３箇所以上にそれぞれ配置されていても良い（例えばレンズと同心の円周上に等角度間隔で配置されている等）。
【００１７】
発光部３０は、例えば、有機ＥＬ素子からなる面発光部（面発光光源）であることが挙げられる。すなわち、発光部３０は、例えば、シート状に形成されている。ただし、発光部３０は、複数のＬＥＤをアレイ状に配列することにより構成されていても良い。また、発光部３０は、複数の有機ＥＬ素子を同一面上に配列することにより構成されていても良い。
【００１８】
更に、撮像装置は、ユーザの操作を受け付ける操作部６０を備えている。操作部６０は、例えば、撮像ボタンおよび照明ボタンを有している。
【００１９】
例えば、暗い場所で撮像を行う場合などにおいて、ユーザが照明ボタンを操作することにより、制御部４０の制御下で発光部３０が発光動作を行う。これにより、レンズ１０の視野に位置する被写体を発光部３０によって照明することができるようになっている。更に、ユーザが撮像ボタンを操作することにより、制御部４０の制御下で撮像部２０が被写体を撮像する。
【００２０】
以上、本実施形態によれば、レンズ１０の視野方向から見て、発光部３０がレンズ１０を囲むように配置されているので、発光部３０によってレンズ１０の視野の全域を均一に照明することができる。よって、撮像により得られた画像の明るさを均一にすることができる。特に、撮像装置と被写体とが（レンズ１０と被写体とが）相互に近接した状態で撮像を行う場合（いわゆる接写等を行う場合）にも、画像に意図しない明るさ分布が生じてしまうことを抑制することができる。よって、良好な撮像画像を得ることができる。
【００２１】
特に、発光部３０がレンズ１０の全周を囲んでいることにより、発光部３０によってレンズ１０の視野の全域をより均一に照明することができる。
【００２２】
また、発光部３０が有機ＥＬ素子からなる場合、発光部３０を薄型且つ軽量に構成することができる。よって、撮像装置の薄型化および軽量化を図ることができる。
【実施例】
【００２３】
（実施例１）
図３は本実施例に係る撮像装置の正面図である。本実施例に係る撮像装置は、発光部３０の形状が上記の実施形態に係る撮像装置と相違し、その他の点では実施形態に係る撮像装置と同様に構成されている。
【００２４】
本実施例の場合、発光部３０はレンズ１０と同心のドーナツ状の領域に配置されている。すなわち、発光部３０はレンズ１０と同心のドーナツ状に形成されている。
【００２５】
ここで、発光部３０が有機ＥＬ素子である場合の発光部３０の構造の例を説明する。
【００２６】
図４は発光部３０が有機ＥＬ素子である場合の発光部３０の構造の一例を示す断面図である。この場合、発光部３０は、例えば、透光性基板１１０と、透光性の第１電極１３０と、有機機能層１４０と、第２電極１５０と、を有する。第１電極１３０は、透光性基板１１０の一方の面側（図４において下面側）に配置されている。有機機能層１４０は、第１電極１３０を基準として透光性基板１１０とは反対側（図４において下側）に配置されている。第２電極１５０は、有機機能層１４０を基準として第１電極１３０とは反対側（図４において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００２７】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面を構成していても良い。
【００２８】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００２９】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光部３０の外部（つまり上記光放出空間）に放射される（取り出される）。
【００３０】
なお、発光部３０の発光色、すなわち発光スペクトル（発光する光の波長スペクトル）は特に限定しない。発光部３０は、発光色を様々な色に変化させることができるような構造のものであっても良いし、常時白などの単色の発光色で発光するものであっても良い。また、発光部３０は、複数の領域に分割されていて、領域毎に異なる発光色に設定できるようになっていても良い。
【００３１】
以下、有機機能層１４０の層構造のより具体的な例を説明する。
【００３２】
図５は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００３３】
発光層１４３は、例えば赤色の光を発光する層、青色の光を発光する層、黄色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。また、赤色、緑色、青色の各領域の光量のバランスを調節することにより、様々な光スペクトルでの発光を行うことができる。
【００３４】
なお、発光層１４３は、複数の色を発光するための材料を混ぜることにより、白色等の単一の発光色で発光するように構成されていても良い。
【００３５】
図６は有機機能層１４０の層構造の第２例を示す断面図である。この有機機能層１４０の発光層１４３は、発光層１４３ａ，１４３ｂ，１４３ｃをこの順に積層した構成を有している。発光層１４３ａ，１４３ｂ，１４３ｃは、互いに異なる色の光（例えば赤、緑、及び青）を発光する。そして発光層１４３ａ，１４３ｂ，１４３ｃが同時に発光することにより、発光装置は白色等の単一の発光色で発光する。また、赤色、緑色、青色の各発光層１４３ａ，１４３ｂ，１４３ｃの光量のバランスを調節することにより、様々な光スペクトルでの発光を行うことができる。
【００３６】
本実施例によれば、上記の実施形態と同様の効果が得られる。また、発光部３０はレンズ１０と同心のドーナツ状の領域に配置されているので、発光部３０によってレンズ１０の視野の全域を均一に照明することができる。
【００３７】
（実施例２）
図７（ａ）は本実施例に係る撮像装置の側断面図、図７（ｂ）は発光部３０を折り曲げる前の状態を示す正面図、図７（ｃ）は発光部３０を折り曲げた状態の斜視図である。本実施例に係る撮像装置は、以下に説明する点で、上記の実施例１に係る撮像装置と相違し、その他の点では、実施例１に係る撮像装置と同様に構成されている。
【００３８】
本実施例の場合、発光部３０は有機ＥＬ素子からなる。この有機ＥＬ素子はシート状に形成されているとともに、可撓性を持つ。具体的には、透光性基板１１０（図４）をフレキシブルな材料により構成することによって、発光部３０を可撓性とし、該発光部３０を自由に屈曲させることができるようになる。
【００３９】
図７（ａ）および図７（ｃ）に示すように、発光部３０を構成する有機ＥＬ素子は、レンズ１０から遠ざかるにつれて拡径する錐台形状又は錐形状に折り曲げ可能である。すなわち、発光部３０を構成する有機ＥＬ素子は、メガホンのような形状にすることができる。
【００４０】
本実施例においては、発光部３０は、例えば、レンズ１０に対して着脱自在となっている。これにより、発光部３０を使用しないときに撮像装置が嵩張ってしまうことを抑制できるので、例えば、撮像装置を容易にポケットなどに入れて携行することができる。
【００４１】
本実施例の場合、例えば、レンズ１０は筐体５０の一方の面から突出しており、発光部３０は、レンズ１０の先端部に連結することができるようになっている。なお、筐体５０の内部から発光部３０への電力の供給および制御信号の入力は、例えば、レンズ１０と発光部３０との連結部７０を介して行うことができる。
【００４２】
本実施例の場合、被写体を撮像するには、先ず、発光部３０を構成する有機ＥＬ素子をレンズ１０から遠ざかるにつれて拡径する錐台形状又は錐形状に折り曲げる。また、被写体を、例えば机などの平坦な面上に設置する。そして、この被写体の周囲が発光部３０により囲まれるように撮像装置を構えて、被写体を撮像する。これにより、影を作らずに被写体を撮像することができる。
【００４３】
本実施例によれば、発光部３０を構成する有機ＥＬ素子は可撓性を持つため、発光部３０を様々な形状に折り曲げることができる。
【００４４】
また、発光部３０を構成する有機ＥＬ素子は、レンズ１０から遠ざかるにつれて拡径する錐台形状又は錐形状に折り曲げ可能であるので、発光部３０をその形状に折り曲げた状態で撮像することにより、影を作らずに被写体を撮像することなどが可能である。
【００４５】
（実施例３）
図８は実施例３に係る撮像装置の側断面図である。本実施例に係る撮像装置は、以下に説明する点で、上記の実施例２に係る撮像装置と相違し、その他の点では、実施例２に係る撮像装置と同様に構成されている。
【００４６】
本実施例の場合、撮像装置は、発光部３０を支持する支持体８０を有している。支持体８０は、例えばプラスチックなどにより成形されている。支持体８０は、レンズ１０から遠ざかるにつれて拡径する錐台形状又は錐形状に形成されている。本実施例の場合も、発光部３０は可撓性を持つ。この発光部３０は、支持体８０の内面に沿って接着剤等により固定されている。これにより、発光部３０は、レンズ１０から遠ざかるにつれて拡径する錐台形状又は錐形状とされている。
【００４７】
本実施例によれば、上記の実施例２と同様の効果が得られる他、発光部３０が支持体８０により支持されているので、発光部３０の形状を容易に維持することができる。
【００４８】
（実施例４）
図９（ａ）は本実施例に係る撮像装置の発光部を平坦にした状態の平面図、図９（ｂ）は図９（ａ）のＡ−Ａ線に沿った断面図である。図１０（ａ）は本実施例に係る撮像装置の発光部を錐台形状にした状態の平面図、図１０（ｂ）は図１０（ａ）のＡ−Ａ線に沿った断面図である。本実施例に係る撮像装置は、以下に説明する点で、上記の実施例２に係る撮像装置と相違し、その他の点では、実施例２に係る撮像装置と同様に構成されている。
【００４９】
本実施例の場合、発光部３０を構成する有機ＥＬ素子は、筐体５０の一方の面に沿う平坦な形状（図９）と、レンズ１０から遠ざかるにつれて拡径する錐台形状又は錐形状（図１０）と、に変形可能である。以下、図９の状態を第１状態、図１０の状態を第２状態と称する。
【００５０】
図９に示すように、第１状態では、発光部３０は、筐体５０の一方の面に沿う平坦な形状となっている。発光部３０は、レンズ１０の周囲を囲むドーナツ状の形状に形成されている。発光部３０には一対の切れ目３１が形成されている。発光部３０は一対の切れ目３１を境界として、それぞれ扇形の第１領域３２および第２領域３３に分割されている。このうち第１領域３２は、レンズ１０の周囲の１８０度よりも広い領域に配置され、第２領域３３は、１８０度よりも狭い領域に配置されている。第２領域３３は、その全面に亘って、筐体５０の一方の面に貼り付けられている。第１領域３２は、その内周縁の接続部３４において筐体５０の一方の面に対して接続されている。また、第１領域３２における接続部３４以外の部分は、筐体５０の一方の面から容易に剥がすことができるようになっている。なお、第１領域３２における接続部３４以外の部分の裏面には、密着シートが貼り付けられていて、第１領域３２における接続部３４以外の部分が筐体５０の一方の面に対して密着するようになっていても良い。
【００５１】
発光部３０を第２状態にするには、第１領域３２を筐体５０の一方の面から剥がして、図１０に示すように、第１領域３２をレンズ１０から遠ざかるにつれて拡径する錐台形状又は錐形状に変形させる。このとき、第１領域３２の両端の切れ目３１が互いに合わさるようにする。なお、第１領域３２をレンズ１０から遠ざかるにつれて拡径する錐台形状又は錐形状に維持できるように、例えば、専用の接着テープにより第１領域３２の両端を貼り付けたりしても良い。
【００５２】
ここで、第１状態においてレンズ１０を発光部３０の中心から僅かにオフセットさせておくことにより（図９）、第２状態において、レンズ１０を発光部３０の中心に位置させることができる（図１０）。
【００５３】
また、第２状態においては、制御部４０は、第１領域３２と第２領域３３とのうち、第１領域３２のみを選択的に発光させるようにしても良い。
【００５４】
本実施例によれば、上記の実施例２と同様の効果が得られる他、発光部３０を構成する有機ＥＬ素子は、筐体５０の一方の面に沿う平坦な形状と、レンズ１０から遠ざかるにつれて拡径する錐台形状又は錐形状と、に変形可能である。よって、目的に応じて発光部３０の形状を変形させることができる。
【００５５】
（実施例５）
図１１（ａ）は本実施例に係る撮像装置の正面図、図１１（ｂ）は本実施例に係る撮像装置の側断面図（図１１（ａ）のＡ−Ａ線に沿った断面図）である。本実施例に係る撮像装置は、以下に説明する点で、上記の実施例１に係る撮像装置と相違し、その他の点では、実施例１に係る撮像装置と同様に構成されている。
【００５６】
本実施例の場合、発光部３０は有機ＥＬ素子からなる。この有機ＥＬ素子はシート状に形成されているとともに、可撓性を持つ。具体的には、透光性基板１１０（図４）をフレキシブルな材料により構成することによって、発光部３０を可撓性とし、該発光部３０を自由に屈曲させることができるようになる。
【００５７】
本実施例の場合、撮像装置の筐体５０の外表面は、曲面を含んでいる。具体的には、筐体５０の一方の面（図１１（ｂ）の上面）の周縁部が曲面となっている。そして、図１１（ｂ）に示すように、発光部３０を構成する有機ＥＬ素子は、筐体５０の曲面に沿って屈曲して配置されている。
【００５８】
本実施例によれば、発光部３０を構成する有機ＥＬ素子は可撓性を持つため、発光部３０を様々な形状に折り曲げることができる。このため、例えば、図１１（ｂ）に示すように、発光部３０を構成する有機ＥＬ素子を、筐体５０の曲面に沿って屈曲させて配置することができる。すなわち、撮像装置の筐体５０のデザインに応じて有機ＥＬ素子の配置を変更することができる。
【００５９】
（実施例６）
図１１（ｃ）は本実施例に係る撮像装置の側断面図である。本実施例に係る撮像装置は、以下に説明する点で、上記の実施例５に係る撮像装置と相違し、その他の点では、実施例５に係る撮像装置と同様に構成されている。本実施例の場合、筐体５０の一方の面が波打った形状となっている。この場合も、発光部３０を構成する有機ＥＬ素子を、筐体５０の形状に沿うように屈曲させて配置することができる。
【００６０】
（実施例７）
本実施例に係る撮像装置は、以下に説明する点で、上記の実施例１に係る撮像装置と相違し、その他の点では、実施例１に係る撮像装置と同様に構成されている。
【００６１】
本実施例の場合、操作部６０（図２）に対する操作によって発光部３０の発光色を変更できるように、撮像装置は構成されている。すなわち、撮像装置は、ユーザの操作を受け付ける操作部６０を備え、制御部４０は、操作部６０に対する操作に応じて、発光部３０の発光色を制御する。
【００６２】
ここで、有機機能層１４０が図５の構成の場合に、発光部３０の発光色を調節するには、例えば、平面視において、赤色の光を発光する発光層１４３を有する領域、緑色の光を発光する発光層１４３を有する領域、及び青色の光を発光する発光層１４３を有する領域を繰り返し配置し、且つ、赤色、緑色、青色の各領域の光量のバランスを調整する。このような光量のバランスの調整は、制御部４０によって、各領域に印加する電流値を個別に制御することによって行うことができる。
【００６３】
より具体的には、制御部４０は、例えば、ユーザが指定可能な各種の発光色と対応する各領域の光量の値（重み付けの値）を記憶したルックアップテーブルを有している。そして、制御部４０は、操作部６０に対する操作により指定された発光色と対応する各領域の光量の値を、このルックアップテーブルから抽出し、この抽出された光量で各領域が発光するように、各領域に電流を印加する。これにより、発光部３０の発光色を、ユーザにより指定された発光色にすることができる。
【００６４】
また、有機機能層１４０が図６の構成の場合に、発光部３０の発光色を調節するには、赤色、緑色、青色の各発光層１４３ａ、１４３ｂ、１４３ｃの光量のバランスを制御部４０の制御下で調整する。すなわち、制御部４０によって、各発光層１４３ａ、１４３ｂ、１４３ｃに印加する電流値を個別に制御することにより、発光部３０の発光色を調節することができる。
【００６５】
この場合も、制御部４０は、例えば、操作部６０に対する操作により指定された発光色と対応する各領域の光量の値を、上記ルックアップテーブルから抽出する。そして、この抽出された光量で各発光層１４３ａ、１４３ｂ、１４３ｃが発光するように、各発光層１４３ａ、１４３ｂ、１４３ｃに電流を印加する。これにより、発光部３０の発光色を、ユーザにより指定された発光色にすることができる。
【００６６】
このように、本実施例では、調色可能な発光部３０の調色を、ユーザの操作に応じて、制御部４０の制御下で行う。
【００６７】
本実施例によれば、撮像装置は、ユーザの操作を受け付ける操作部６０を備え、制御部４０は、操作部６０に対する操作に応じて、発光部３０の発光色を制御する。よって、ユーザが好みの発光色で発光部３０を発光させた状態で、撮像部２０により被写体を撮像することができる。これにより、例えば、セピア色などの各種の色味を帯びた画像を得ることができる。
【００６８】
（実施例８）
図１２は本実施例に係る撮像装置の正面図、図１３は本実施例に係る撮像装置のブロック図である。本実施例に係る撮像装置は、以下に説明する点で、上記の実施例１に係る撮像装置と相違し、その他の点では、実施例１に係る撮像装置と同様に構成されている。
【００６９】
本実施例の場合、操作部６０（図２）に対する操作によって発光部３０における発光領域を変更できるように、撮像装置は構成されている。すなわち、撮像装置は、ユーザの操作を受け付ける操作部６０を備え、制御部４０は、操作部６０に対する操作に応じて、発光部３０における発光領域を切り替える制御を行う。
【００７０】
例えば、図１２に示すように、発光部３０は、複数の領域に区分けされている。例えば、発光部３０は、第１発光領域３０ａ、第２発光領域３０ｂ、第３発光領域３０ｃおよび第４発光領域３０ｄを有している。そして、操作部６０（図２）に対する操作によって、これら発光領域３０ａ〜３０ｄのうち、所望の１つ以上の発光領域を選択的に発光させることができるようになっている。
【００７１】
本実施例によれば、撮像装置は、ユーザの操作を受け付ける操作部６０を備え、制御部４０は、操作部６０に対する操作に応じて、発光部３０における発光部位を切り替える制御を行う。よって、ユーザが所望の発光部位を発光させた状態で、撮像部２０により被写体を撮像することができる。これにより、撮像される画像における明るい領域と暗い領域とをユーザの好みで容易に変更することができる。
【００７２】
なお、本実施例において、制御部４０は、操作部６０に対する操作に応じて、複数の発光領域３０ａ〜３０ｄのうちの２つ以上を互いに異なる明るさで発光させる制御を行うようになっていても良い。この場合、撮像される画像の領域毎の明るさのバランスをより細かく調整することなどが可能である。
【００７３】
また、本実施例において、制御部４０は、操作部６０に対する操作に応じて、複数の発光領域３０ａ〜３０ｄのうちの２つ以上を互いに異なる発光色で発光させる制御を行うようになっていても良い。この場合、撮像される画像の領域毎に、異なる色味に調整することができる。
【００７４】
以上、図面を参照して実施形態及び実施例について述べたが、これらは本発明の例示であり、上記以外の様々な構成を採用することもできる。
【００７５】
例えば、発光部３０は、カラー画像を表示する表示部を兼ねても良い。これにより、発光部３０とは別に表示部を備える必要を無くすことができる。また、この場合、制御部４０は、撮像部２０により撮像される画像を随時更新して表示部に表示させる制御を行っても良い。これにより、例えば、ユーザが自分を撮像する場合に、表示部をファインダーとして利用することができる。
【００７６】
また、上記の実施例２〜４のように、レンズ１０から遠ざかるにつれて拡径する錐台形状又は錐形状の発光部３０を撮像装置が有する場合、撮像装置により画像を撮像する際に限らず、撮像装置を拡大鏡の用途で利用する際にも、対象物の全体を明るく照らして対象物を見やすくする効果が得られる。
【符号の説明】
【００７７】
１０ レンズ
２０ 撮像部
３０ 発光部
４０ 制御部
６０ 操作部
【図１】
2014119580.tif 000003
【図２】
2014119580.tif 000004
【図３】
2014119580.tif 000005
【図４】
2014119580.tif 000006
【図５】
2014119580.tif 000007
【図６】
2014119580.tif 000008
【図７】
2014119580.tif 000009
【図８】
2014119580.tif 000010
【図９】
2014119580.tif 000011
【図１０】
2014119580.tif 000012
【図１１】
2014119580.tif 000013
【図１２】
2014119580.tif 000014
【図１３】
2014119580.tif 000015